(57)【特許請求の範囲】
【請求項１】
プラスチック製発泡部材により長方形の平板の上面に多数の矩形突起を等間隔で形成し、四側面に沿って前記矩形突起の１／２寸法の接続突起を前記矩形突起と等間隔となるように設けて四隅角は前記矩形突起の１／４寸法の接続突起となる、前記矩形突起間に所定幅の溝を一体成形した、前記矩形突起を上向きで敷設するＯＡ床パネルにおいて、前記溝に嵌合する寸法のＨ字形状に形成された連結部材、前記溝に嵌合する寸法の十字形状に形成された充填部材、前記溝に嵌合する寸法の―字形状に形成された連結兼充填部材をそれぞれ備え、前記連結部材、前記充填部材、前記連結兼充填部材を組み合わせて使用することを特徴とするＯＡ床パネル。
【発明の詳細な説明】
【技術分野】
【０００１】
本発明は、パソコンやオフコン、ワークステーション、ワープロなどのＯＡ（Office Automation）機器を導入したオフィスに敷設するＯＡ床パネルに関する。
【背景技術】
【０００２】
近年、オフィスでは各種ＯＡ機器のケーブル配線を床下に収納し、そのレイアウト変更を自由にできるフリーアクセスフロアが多用されている。
従来技術として、フロアユニットを木質系床下地材とプラスチック製発泡支持材との２層一体化構造とし、プラスチック製発泡支持材の裏面側に配線または配管用の溝を形成することが知られている（特許文献１を参照）し、床パネル本体の裏面に同一長の突部を部分的に突設し、敷設する床下地との間に各種コードを挿通する空間を設けることが知られている（特許文献２を参照）。
上記何れの公知技術もコンクリート床に各種コードを配線し、その上にフロアユニットの溝または床パネルの凸部空間を被せるように設置するため、各種コードの敷設に手間がかかり、また敷設後にフロアユニットまたは床パネルの振動等により各種コードがズレル恐れもあった。
また、コンクリート床に各種コードを直接敷設しないようにシート材をフロアブロックの裏面に設け、各種コードをシート材間に収納することも知られている（特許文献３を参照）。
【特許文献１】特開平８−２１８６０９号公報
【特許文献２】実開平２−２３６４０号公報
【特許文献３】特開平１１−３０３３６８号公報
【発明の開示】
【発明が解決しようとする課題】
【０００３】
本発明は、ＯＡ床パネル同士が移動しないように連結部材を備えると共に、各種コードの配線が簡易に行え、ＯＡ機器のレイアウト変更にも簡単に対応できるＯＡ床パネルを提供することを目的とする。
【課題を解決するための手段】
【０００４】
本発明のＯＡ床パネルは、プラスチック製発泡部材により長方形の平板の上面に多数の矩形突起を等間隔で形成し、四側面に沿って前記矩形突起の１／２寸法の接続突起を前記矩形突起と等間隔となるように設けて四隅角は前記矩形突起の１／４寸法の接続突起となり、前記矩形突起間に所定幅の溝を一体成形した、前記矩形突起を上向きで敷設するＯＡ床パネルにおいて、前記溝に嵌合する寸法のＨ字形状に形成された連結部材、前記溝に嵌合する寸法の十字形状に形成された充填部材、前記溝に嵌合する寸法の―字形状に形成された連結兼充填部材をそれぞれ備え、前記連結部材、前記充填部材、前記連結兼充填部材を組み合わせて使用するものである。
【発明の効果】
【０００５】
本発明は、ＯＡ床パネル同士が移動しないようにＨ字形状の連結部材を備えると共にＯＡ床パネルを補強充填する十字形状の充填部材を備え、さらにＯＡ床パネル同士を連結する―字形状の連結兼充填部材を備えるので、各種コードの配線が簡易に行え、ＯＡ機器のレイアウト変更にも簡単に対応できる。
【発明を実施するための最良の形態】
【０００６】
本発明のＯＡ床パネルの一実施例を図面に基づいて、以下に説明する。
図１の斜視図に２枚１組で示すように、本発明のＯＡ床パネル１は、プラスチック製発泡部材により長方形の平板２の上面に多数の矩形突起３を等間隔で形成し、前記矩形突起３，３間に所定幅の溝４を一体成形したものである。
前記ＯＡ床パネル１の具体的な寸法としては縦９００ｍｍ×横４５０ｍｍ×厚さ３５〜５５ｍｍ、矩形突起３の寸法は縦５０ｍｍ×横５０ｍｍ×高さ１５ｍｍ、溝４の幅は２５ｍｍである。
なお、プラスチック製発泡部材として、発泡スチレンが好適であるが、これに限らず、同等の作用効果をもたらすプラスチック材料であれば何でも良い。
そして、前記ＯＡ床パネル１の四側面に沿って前記矩形突起３の１／２寸法の接続突起５を前記矩形突起３と等間隔となるように設ける。
したがって、図１の中央部に示すように前記ＯＡ床パネルの接続突起５同士を接合することにより仮想矩形突起３が形成される。
なお、前記ＯＡ床パネル１の四隅角は、図２の平面図に示すように前記矩形突起３の１／４寸法の接続突起５となる。
本発明のＯＡ床パネル１は、図３の断面図に示すように、床下地（図示せず）の上に平板２側を敷き、前記矩形突起３が上方を向いた状態で使用し、各種コードの配線Ｓは前記溝４に収納され、その上にウランベニヤ板Ｒが接着固定される。
【０００７】
次に、本発明のＯＡ床パネル１同士の連結に使用される連結部材６について、以下に説明する。
図４に示すように、前記連結部材６は前記ＯＡパネル１と同等のプラスチック材料から形成され、前記溝４に嵌合する寸法のＨ字形状に形成される。
前記ＯＡ床パネル１同士を接合した場合、図２に斜線で示すように、前記Ｈ字形状の連結部材６を前記ＯＡパネル１の接続突起５にＨ字形状の空間部分に嵌まり込むようにして接合部分に嵌合する。
図２においては前記連結部材６を一部のみを示しているが、これに限らず接合部分全体に連続的に設けても良い。
【０００８】
つぎに、本発明のＯＡ床パネル１の充填補強に使用される充填部材７について、以下に説明する。
図５に示すように、前記充填部材７は前記ＯＡ床パネル１と同等のプラスチック材料から形成され、前記矩形突起３，３間の溝４に嵌合する寸法の十字形状に形成される。
図２に斜線で示すように、前記充填部材７は４個の矩形突起３，３間に嵌まり込み、矩形突起３、充填部材７、矩形突起３から成る大きい矩形突起を形成することができる。
したがって、矩形突起３単独では強度的に弱いが、前記充填部材７を嵌合させることにより大面積の矩形突起となり、強度を増すことができる。
また、図３に示すように前記溝４には配線Ｓが収納されるが、空いた溝４に前記連結部材６と前記充填部材７とを隣り合わせに嵌合することにより、前記溝４を全て埋めることもできる。
【０００９】
本発明のＯＡ床パネル１を敷設したオフィスを図６に示すと、オフィスの床下地にはＯＡ床パネル１が複数枚１組で敷き詰められ、その上にウランベニヤ板Ｒが載せられて接着固定される。
図７に示すように、連結兼充填部材８は前記ＯＡパネル１と同等のプラスチック材料から形成され、前記矩形突起３，３間の溝４に嵌合する寸法の―字形状に形成されている。
例えば、３枚の前記ＯＡパネル１の長手方向を接して並べ、接合部にＨ字形状の連結部材６を嵌合させ、さらに前記十字形状の充填部材７を矩形突起３補強のため充填する。
そして、前記連結兼充填部材８を３枚の前記ＯＡ床パネル１を横断するように嵌合して連結し、前記連結兼充填部材８の上面に接着剤を塗布し、その上にウランベニヤ板Ｒを接着固定することによって、床ユニット（図６の実線で示された一区画）を形成することができる。
オフィスのレイアウト変更をする場合は、前記ウランベニヤ板Ｒを剥がせば、図３に示す前記連結兼充填部材８が前記ウランベニヤ板Ｒと一緒に溝４から離脱され、ＯＡ床パネル１が剥き出しとなるので、各種コードの配線Ｓを変更し、その後、新たに連結部材６、充填部材７、連結兼充填部材８を前記溝４に嵌合させ、その上から前記ウランベニヤ板Ｒを連結兼充填部材８に接着することで簡単にレイアウト変更ができる。
【図面の簡単な説明】
【００１０】
【図１】本発明のＯＡ床パネル２枚１組の斜視図である。
【図２】本発明のＯＡ床パネル２枚１組の平面図である。
【図３】本発明のＯＡ床パネルの使用状態を示す断面図である。
【図４】本発明のＨ字形状の連結部材の斜視図である。
【図５】本発明の十字形状の充填部材の斜視図である。
【図６】本発明のＯＡ床パネルを使用したオフィスの斜視図である。
【図７】本発明のＯＡ床パネルの組立てを示す分解斜視図である。
【符号の説明】
【００１１】
１  ＯＡ床パネル
２  平板
３  矩形突起
４  溝
５  接続突起
６  連結部材
７  充填部材
８  連結兼充填部材
【図１】
0004818796.tif 000002
【図２】
0004818796.tif 000003
【図３】
0004818796.tif 000004
【図４】
0004818796.tif 000005
【図５】
0004818796.tif 000006
【図６】
0004818796.tif 000007
【図７】
0004818796.tif 000008